(57)【要約】【課題】テレビジョン受信装置のスタンバイ状態において、外部装置に電源を供給することが可能な電子機器を提供する。【解決手段】電源を供給する電源手段と、前記電源手段から電源の供給を受け、着脱自在に接続される外部装置に当該電源を供給するコネクタインタフェースと、を備え、前記コネクタインタフェースは、所定の通信規格に準じたコネクタ形状を有し、且つ、通信用の接点が無効化されている。【選択図】図２
2012256379.tif 000002
【特許請求の範囲】
【請求項１】
電源を供給する電源手段と、
前記電源手段から電源の供給を受け、着脱自在に接続される外部装置に当該電源を供給するコネクタインタフェースと、
を備え、
前記コネクタインタフェースは、所定の通信規格に準じたコネクタ形状を有し、且つ、通信用の接点が無効化されている電子機器。
【請求項２】
前記コネクタインタフェースとは異なる経路で前記電源手段から電源の供給を受け、自装置が設けられた本体装置各部への電源供給を制御することで、前記本体装置を稼動状態又は当該稼動状態での消費電力よりも低いスタンバイ状態に移行させる制御手段を更に備える請求項１に記載の電子機器。
【請求項３】
外部から電源オン／オフの指示を受け付ける受付手段を更に備え、
前記制御手段は、前記電源オンの指示に応じて前記本体装置を前記稼動状態とするとともに、前記電源オフの指示に応じて前記本体装置を前記スタンバイ状態とする請求項２に記載の電子機器。
【請求項４】
前記受付手段は、前記本体装置に設けられた操作部又はリモートコントローラとして構成されている請求項３に記載の電子機器。
【請求項５】
前記電源手段と前記コネクタインタフェースとを接続する経路上に設けられ、当該接続をオン／オフする切替手段を更に備える請求項１〜４の何れか一項に記載の電子機器。
【請求項６】
前記本体装置の状態に応じて、前記切替手段のオン／オフ動作を制御する切替制御手段を更に備える請求項５に記載の電子機器。
【請求項７】
前記電子機器は、表示装置を内蔵し又は外付けの表示装置を接続可能であり、
前記内蔵の表示装置又は前記外付けの表示装置の表示画面に、前記切替手段の設定画面を表示する表示制御手段を更に備え、
前記切替制御手段は、前記設定画面に基づき設定された設定内容に従い、前記切替手段のオン／オフ動作を制御する請求項６に記載の電子機器。
【請求項８】
前記切替制御手段は、前記本体装置の状態に応じて、前記コネクタインタフェースの通信用の接点を有効化／無効化する請求項６又は７に記載の電子機器。
【請求項９】
前記切替制御手段は、前記本体装置が前記稼動状態のときに前記通信用の接点を有効化し、前記本体装置が前記スタンバイ状態のときに前記通信用の接点を無効化する請求項８に記載の電子機器。
【発明の詳細な説明】
【技術分野】
【０００１】
本発明の実施形態は、電子機器に関するものである。
【背景技術】
【０００２】
現在、テレビジョン受信装置においては、ＵＳＢメモリなどに格納された写真データ等に基づいて写真を表示画面に表示するなどの用途のために、ＵＳＢコネクタが設けられているものが存在する。また、このＵＳＢコネクタから電源を供給して、携帯電話等の外部機器を充電するものが提案されている。
【先行技術文献】
【特許文献】
【０００３】
【特許文献１】特開２０００−３３９０６７号公報
【発明の概要】
【発明が解決しようとする課題】
【０００４】
ところで、テレビジョン受信装置では、リモコン等による電源オフの指示に応じて、消費電力を低下させたスタンバイ状態に移行することが行われている。また、このスタンバイ状態では、ＵＳＢコネクタも無効化されるため、ＵＳＢコネクタに外部機器を接続しても充電を行うことはできない。そのため、テレビジョン受信装置のＵＳＢコネクタを用いて外部機器の充電を行うためには、電源をオンとしておく必要があり利便性に欠けるものとなっていた。
【０００５】
本発明は、上記に鑑みてなされたものであって、テレビジョン受信装置のスタンバイ状態において、外部装置に電源を供給することが可能な電子機器を提供することを目的とする。
【課題を解決するための手段】
【０００６】
実施の形態の電子機器は、電源手段と、コネクタインタフェースとを備える。電源手段は、電源を供給する。コネクタインタフェースは、電源手段から電源の供給を受け、着脱自在に接続される外部装置に当該電源を供給する。また、コネクタインタフェースは、所定の通信規格に準じたコネクタ形状を有し、且つ、通信用の接点が無効化されている。
【図面の簡単な説明】
【０００７】
【図１】図１は、第１の実施形態に係るテレビジョン受信装置の構成の一例を示す図。
【図２】図２は、第１の実施形態に係るテレビジョン受信装置の電源供給に係る構成を説明するための図。
【図３】図３は、第２の実施形態に係るテレビジョン受信装置の構成の一例を示す図。
【図４】図４は、給電コネクタに係る設定変更画面の一例を示す図。
【図５】図５は、第２の実施形態に係るテレビジョン受信装置の電源供給に係る構成を説明するための図。
【図６】図６は、第２の実施形態に係るテレビジョン受信装置の処理フローチャート。
【図７】図７は、第３の実施形態に係るテレビジョン受信装置の構成の一例を示す図。
【図８】図８は、第３の実施形態に係るテレビジョン受信装置の電源供給に係る構成を説明するための図。
【図９】図９は、第３の実施形態に係るテレビジョン受信装置の処理フローチャート。
【図１０】図１０は、第４の実施形態に係るテレビジョン受信装置の構成の一例を示す図。
【図１１】図１１は、第４の実施形態に係るテレビジョン受信装置の電源供給に係る構成を説明するための図。
【発明を実施するための形態】
【０００８】
以下に添付図面を参照して、この発明に係る電子機器の実施の形態を詳細に説明する。
【０００９】
［第１の実施形態］
図１は、第１の実施形態に係るテレビジョン受信装置１００の構成の一例を示す図である。図１に示すように、テレビジョン受信装置１００は、入力側に放送波受信用のアンテナ１１が接続されている。テレビジョン受信装置１００のユーザは、テレビジョン受信装置１００に設けられた操作部２６又はリモートコントローラ２８を介して、本装置の操作を行うことが可能となっている。
【００１０】
テレビジョン受信装置１００は、受信したデジタルテレビジョン放送信号をデコードすることにより放送番組を表示し、ユーザは受信した放送番組を視聴できるようになっている。また、外部の表示装置や音声出力装置を利用して放送番組を視聴できるようにもなっており、受信した放送番組を記録することも可能である。
【００１１】
放送波受信用のアンテナ１１で受信した地上デジタルテレビジョン放送信号は、入力端子１２を介して地上デジタル放送用のチューナ１３に供給される。
【００１２】
チューナ１３は、制御部１６の制御に従い、所望のチャネルの放送信号を選局し、この選局された放送信号を復調器１４に出力する。復調器１４は、制御部１６の制御に従い、チューナ１３で選局された放送信号を復調し、所望の番組を含んだトランスポートストリームを得て、復号器１５に出力する。
【００１３】
復号器１５は、制御部１６の制御に従い、トランスポートストリーム（ＴＳ）多重化された信号のＴＳ復号処理を行い、所望の番組のデジタルの映像信号及び音声信号をデパケットすることにより得たＰＥＳ（Packetized  Elementary  Stream）を信号処理部１７内のＳＴＤバッファ（図示せず）へ出力する。また、復号器１５は、デジタル放送により送られているセクション情報を信号処理部１７内のセクション部１７２へ出力する。ここで、信号処理部１７は、デコーダ１７１とセクション部１７２とを備え、入力された信号の処理を行う。
【００１４】
デコーダ１７１は、テレビ視聴時には、復号器１５から供給されたデジタルの映像信号及び音声信号に対して、選択的に所定のデジタル信号処理を施し、グラフィック処理部１８及び音声処理部１９に出力する。一方、番組録画時には、復号器１５から供給されたデジタルの映像信号及び音声信号に対して、選択的に所定のデジタル信号処理を施した信号を、制御部１６を介して記憶装置２９（例えば、ＨＤＤ）に記憶（録画）する。
【００１５】
また、デコーダ１７１は、録画番組再生時には、制御部１６を介して記憶装置２９から読み出された録画番組のデータに、所定のデジタル信号処理を施し、グラフィック処理部１８及び音声処理部１９に出力している。
【００１６】
さらに、デコーダ１７１は、外部機器の表示画面表示時には、テレビジョン受信装置１００に接続された外部機器から制御部１６を介して受信したデータに、所定のデジタル信号処理を施し、グラフィック処理部１８及び音声処理部１９に出力している。
【００１７】
制御部１６には、信号処理部１７から、番組を取得するための各種データ（Ｂ−ＣＡＳデスクランブル用の鍵情報等）や電子番組ガイド（ＥＰＧ）情報、番組属性情報（番組ジャンル等）、字幕情報等（サービス情報、ＳＩやＰＳＩ）が入力されている。制御部１６は、これら入力された情報からＥＰＧ、字幕を表示するため画像生成処理を行い、この生成した画像情報をグラフィック処理部１８へ出力する。
【００１８】
また、制御部１６は、番組録画及び番組予約録画を制御する機能を有する。番組予約受付時には、表示装置２２が有する液晶ディスプレイ上に電子番組ガイド（ＥＰＧ）情報を表示し、操作部２６又はリモートコントローラ２８を介したユーザ入力により予約内容を所定の記憶手段に設定する。そして、設定された時刻に予約番組を録画するようチューナ１３、復調器１４、復号器１５及び信号処理部１７を制御する。
【００１９】
セクション部１７２は、復号器１５から入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を制御部１６へ出力する。
【００２０】
グラフィック処理部１８は、信号処理部１７内のデコーダ１７１から供給されるデジタルの映像信号と、ＯＳＤ（On  Screen  Display）信号生成部２０で生成されるＯＳＤ信号と、データ放送による画像データと、制御部１６により生成されたＥＰＧ、字幕信号とを合成して映像処理部２１へ出力する機能を有する。また、字幕放送による字幕を表示するとき、グラフィック処理部１８は、制御部１６からの制御による字幕情報に基づき、映像信号上に字幕情報を重畳する処理を行う。
【００２１】
グラフィック処理部１８から出力されたデジタルの映像信号は、映像処理部２１に供給される。この映像処理部２１は、入力されたデジタルの映像信号を、液晶ディスプレイ等で構成される表示装置２２で表示可能なアナログ映像信号に変換した後、表示装置２２に出力して、表示装置２２の表示画面上に映像表示させる。また、出力端子２３を介して外部の表示装置（図示せず）に、当該外部の表示装置で表示可能なフォーマットの映像信号を出力して映像表示させることもできる。なお、表示装置２２はテレビジョン受信装置１００に内蔵してもよいし、テレビジョン受信装置１００に外付けしてもよい。
【００２２】
また、音声処理部１９は、入力されたデジタルの音声信号を、音声出力装置２４で再生可能なアナログ音声信号に変換した後、音声出力装置２４に出力して音声を再生させる。また、出力端子２５を介して外部の音声出力装置（図示せず）に、当該音声出力装置で再生可能なフォーマットの音声信号を出力して音声再生させることもできる。
【００２３】
ここで、このテレビジョン受信装置１００は、各種の受信動作を含むその全ての動作を制御部１６によって制御している。この制御部１６は、ＣＰＵ（central  processing  nit）１６１、ＣＰＵ１６１が実行するプログラムを格納したＲＯＭ（Read  Only  Memory）１６２、ＣＰＵ１６１に作業エリアを提供するためのＲＡＭ（Random  Access  Memory）１６３、各種の設定情報や制御情報等が格納された不揮発性メモリ１６４を有している。ＣＰＵ１６１は、各種プログラムと協働することで、各部の動作を統括的に制御する。
【００２４】
具体的に、制御部１６は、操作部２６からの操作情報を受け、又は、リモートコントローラ２８から送出された操作情報を受光部２７を介して受信し、その操作内容（例えば、チャネル切替操作等）が反映されるように各部をそれぞれ制御している。
【００２５】
また、制御部１６は、操作部２６又はリモートコントローラ２８を介したユーザ入力に応じて、テレビジョン受信装置１００の状態を稼動状態又はスタンバイ状態に切り替える機能を有する。具体的に、制御部１６は、電源オンの指示を受け付けると、後述する電源供給制御部３１を制御し、テレビジョン受信装置１００の各部（後述する給電コネクタ３２は除く）へ電源を供給させることで、テレビジョン受信装置１００を稼動状態に移行させる。また、制御部１６は、電源オフの指示を受け付けると、後述する電源供給制御部３１を制御し、テレビジョン受信装置１００の各部への電源供給量を減少させることで、稼動状態よりも消費電力が少ないスタンバイ状態へ移行させる。なお、スタンバイ状態では、受光部２７や制御部１６の一部、後述する電源供給制御部３１等、稼動状態へ移行するのに必要な部位に電源供給が行われる。
【００２６】
電源部３０には、配線用差込接続器等を介して外部からＡＣ電源（商用電源）が供給される。電源部３０は、供給されたＡＣ電源に整流等の処理を施した後、電源供給線Ｌ１を介して電源供給制御部３１と給電コネクタ３２とに供給する。
【００２７】
電源供給制御部３１は、制御部１６の制御に従い、テレビジョン受信装置１００の稼働時（稼働状態）において、給電コネクタ３２を除くテレビジョン受信装置１００の各部へ電源を供給する。また、電源供給制御部３１は、テレビジョン受信装置１００のスタンバイ時（スタンバイ状態）において、例えば受光部２７や制御部１６等、スタンバイ時に電源を必要とする構成へ電源を供給する。
【００２８】
給電コネクタ３２は、電源部３０から供給された電源を、当該給電コネクタ３２に着脱自在に接続される携帯機器ＭＥに供給することで、接続された携帯機器ＭＥの充電等を行う。なお、給電コネクタ３２のコネクタ形状は特に問わないものとするが、携帯電話等の携帯型情報装置や携帯型音楽プレーヤ等の携帯機器ＭＥで汎用的に用いられる規格（例えば、ＵＳＢ（Universal  Serial  Bus）や、ＩＥＥＥ１３９４等）に準じることが好ましい。本実施形態では、ＵＳＢ  Ｔｙｐｅ  Ａ  Ｒｅｃｅｐｔａｃｌｅと呼ばれるコネクタ形状を用いた例について説明する。また、給電コネクタ３２と携帯機器ＭＥとの接続は、接続ケーブル等を介して接続する形態としてもよいし、直接接続する形態としてもよい。
【００２９】
図２は、テレビジョン受信装置１００の電源供給に係る構成を説明するための図である。電源部３０は、電源供給線Ｌ１を介して電源供給制御部３１と給電コネクタ３２とに電源を供給する。ここで、電源供給線Ｌ１は、本体用供給線Ｌ１１と給電用供給線Ｌ１２とに分岐され、本体用供給線Ｌ１１は電源供給制御部３１に、給電用供給線Ｌ１２は給電コネクタ３２にそれぞれ接続されている。
【００３０】
電源供給制御部３１は、本体用供給線Ｌ１１を介して入力された電源を、制御部１６の制御に従い、給電コネクタ３２を除くテレビジョン受信装置１００の各部に供給する。
【００３１】
また、給電コネクタ３２は、図２に示すように、電源供給に係る端子として高電位側電源端子ＴＶＢ（ＶＢＵＳ）及び低電位側電源端子ＴＧＤ（ＧＮＤ）を有するとともに、信号の授受に係る端子としてＤ＋端子ＴＤＰ及びＤ−端子ＴＤＮを有している。
【００３２】
ここで、高電位側電源端子ＴＶＢは、給電用供給線Ｌ１２に接続されており、低電位側電源端子ＴＧＤ（ＧＮＤ）は、図示しないグランド素子に接続されている。また、信号の授受に係るＤ＋端子ＴＤＰ及びＤ−端子ＴＤＮは、共に図示しないグランド素子に接続されており、これら端子により信号授受が行われないよう無効化されている。なお、図２の例では、グランド素子に接続することで、Ｄ＋端子ＴＤＰ及びＤ−端子ＴＤＮの信号授受機能を無効化する形態としたが、これに限らず、他の方法を用いて信号授受機能を無効化する形態としてもよい。
【００３３】
上記の構成において、給電コネクタ３２は、電源供給制御部３１とは異なる供給線（給電用供給線Ｌ１２）を介して電源部３０から電源供給を受ける。そのため、給電コネクタ３２は、テレビジョン受信装置１００の状態（稼働状態及びスタンバイ状態）に依らず、電源部３０にＡＣ電源が供給されている限り、携帯機器ＭＥに電源を供給することが可能となる。
【００３４】
これにより、テレビジョン受信装置１００がスタンバイ状態であっても、給電コネクタ３２に携帯機器ＭＥを接続することで、当該携帯機器ＭＥに電源を供給することが可能であるため、充電等の用に供する等、ユーザの利便性を向上させることができる。
【００３５】
［第２の実施形態］
上記第１の実施形態では、外部からＡＣ電源（商用電源）が電源部３０に供給されている間、給電コネクタ３２に電源供給が行われる構成を説明した。第２の実施形態では、給電コネクタ３２への電源供給をオン／オフすることが可能な構成について説明する。なお、第１の実施形態と同様の構成については、同一の符号を付し、その説明を援用する。
【００３６】
図３は、第２の実施形態に係るテレビジョン受信装置１００ａの構成の一例を示す図である。図３に示すように、テレビジョン受信装置１００ａは、上述した制御部１６及び電源供給制御部３１に代えて、制御部１６ａ及び電源供給制御部３１ａを備える点が、図１の構成と異なっている。また、電源部３０と給電コネクタ３２との間の供給線（給電用供給線Ｌ１２）上に切替部３３を設けた点が、図１の構成と異なっている。
【００３７】
制御部１６ａは、上述した制御部１６と同様の機能を有する。また制御部１６ａは、本実施形態に特有の機能として、給電コネクタ３２への電源供給をオンとするか否かを設定するためのＧＵＩ（以下、設定変更画面という）をユーザに提供する機能を有する。具体的に、制御部１６ａは、操作部２６又はリモートコントローラ２８を介した所定のユーザ入力により、給電コネクタ３２の設定変更が指示されると、グラフィック処理部１８、ＯＳＤ信号生成部２０及び映像処理部２１を制御することで、図４に示すような設定変更画面を表示装置２２に表示させる。
【００３８】
ここで、図４は、給電コネクタ３２に係る設定変更画面の一例を示す図である。同図に示すように、この設定変更画面では、テレビジョン受信装置１００ａの稼働時及びスタンバイ時の各々において、給電コネクタ３２による給電を有効とするか否かを設定することが可能となっている。ユーザは、操作部２６又はリモートコントローラ２８を介して、領域Ａ１１及びＡ１２に有効か無効かを設定し、確定ボタンＢ１１を選択（押下）することで、その設定内容が制御部１６ａに通知される。
【００３９】
制御部１６ａは、設定内容が確定されると、この設定内容を設定情報として、電源供給制御部３１ａが読み取り可能な記憶媒体（不揮発性メモリ１６４又は記憶装置２９）に記憶する。なお、図４の例では、テレビジョン受信装置１００ａの状態毎に有効／無効を設定可能な構成としたが、これに限らず、何れか一方の状態（例えば、スタンバイ時）について、有効／無効を設定する構成としてもよいし、状態を問わずに単に有効／無効を設定する構成としてもよい。
【００４０】
電源供給制御部３１ａは、電源供給制御部３１と同様の機能を有する。また、電源供給制御部３１ａは、本実施形態に特有の機能として、テレビジョン受信装置１００ａの状態切替時及び設定情報の更新時において、不揮発性メモリ１６４や記憶装置２９に記憶された設定情報を参照し、この設定内容に応じて切替部３３をオン／オフ制御することで、電源部３０から給電コネクタ３２への電源供給を制御する。
【００４１】
例えば、図４に示した設定内容が設定情報として記憶されている場合、電源供給制御部３１ａは、スタンバイ状態から稼働状態への切り替え時に、切替部３３をオンとすることで、テレビジョン受信装置１００ａの稼働時に給電コネクタ３２から電源供給されるよう制御する。また、電源供給制御部３１ａは、稼働状態からスタンバイ状態への切り替え時に、切替部３３をオフとすることで、テレビジョン受信装置１００ａのスタンバイ時に給電コネクタ３２から電源供給がされないよう制御する。
【００４２】
切替部３３は、スイッチング素子等であり、電源供給制御部３１ａの指示に応じて、電源部３０と給電コネクタ３２（高電位側電源端子ＴＶＢ）とをオン（接続）／オフ（切断）する。
【００４３】
図５は、テレビジョン受信装置１００ａの電源供給に係る構成の説明図である。同図では、切替部３３を、ＰＮＰ型のトランジスタを用いて実現した例を示している。この切替部３３は、ＰＮＰ型のトランジスタ３３１と、トランジスタ３３１のベース−エミッタ間を接続する抵抗３３２と、トランジスタ３３１のベースと電源供給制御部３１ａとの間に接続された抵抗３３３とを有している。ここで、トランジスタ３３１のエミッタは給電用供給線Ｌ１２に接続されており、ベースは電源供給制御部３１ａに接続されており、コレクタは給電コネクタ３２の高電位側電源端子ＴＶＢに接続されている。
【００４４】
図５の構成において、給電コネクタ３２による給電を有効とする場合、電源供給制御部３１ａは、ローレベルの電位を、抵抗３３３を介してトランジスタ３３１のベースに印加することで、コレクタ−エミッタ間を導通させる。また、給電コネクタ３２による給電を無効とする場合、電源供給制御部３１ａは、ハイレベルの電位を、抵抗３３３を介してトランジスタ３３１のベースに印加することで、コレクタ−エミッタ間を非導通とする。
【００４５】
このような構成を採用することで、電源部３０から給電コネクタ３２への電源供給、即ち給電コネクタ３２による給電を制御することができる。なお、切替部３３の構成は、図５の例に限らず、他のスイッチング素子や他の構成を用いてもよい。
【００４６】
次に、図６を参照し、テレビジョン受信装置１００ａの動作について説明する。以下の説明においては、ユーザは、リモートコントローラ２８により操作を行うものとする。
【００４７】
図６は、テレビジョン受信装置１００ａの処理フローチャートである。制御部１６ａは、受光部２７を介して、リモートコントローラ２８の操作がなされたことを検出すると、当該操作が給電コネクタ３２の設定変更を指示するものか否かを判定する（ステップＳ１１）。
【００４８】
ステップＳ１１において、給電コネクタ３２の設定変更を指示する操作と判定した場合（ステップＳ１１；Ｙｅｓ）、制御部１６ａは、グラフィック処理部１８、ＯＳＤ信号生成部２０及び映像処理部２１を制御することで、設定変更画面（図４参照）を表示装置２２に表示させる（ステップＳ１２）。ユーザは、設定変更画面に基づき、リモートコントローラ２８を操作することで、給電コネクタ３２による給電を有効とするか否かを設定し、その設定内容を確定ボタンＢ１１等の押下により確定する。
【００４９】
制御部１６ａは、設定変更画面での設定内容が確定すると、この設定変更画面を消去し、確定した設定内容を設定情報として記憶媒体（不揮発性メモリ１６４又は記憶装置２９）に記憶する（ステップＳ１３）。なお、記録媒体に設定情報が既に存在する場合には、新たな設定内容で上書きすることで設定情報を更新するものとする。
【００５０】
電源供給制御部３１ａは、設定情報を常時又は定期的に確認し、設定情報の更新（新規作成も含む）を検出すると、その設定内容に応じて切替部３３をオン又はオフに切り替える（ステップＳ１４）。そして、ステップＳ１１に再び戻る。
【００５１】
また、ステップＳ１１において、受光部２７を介しテレビジョン受信装置１００ａの状態を切り替える電源オン又は電源オフを指示する操作がなされたと判定すると（ステップＳ１１；Ｎｏ→ステップＳ１５；Ｙｅｓ）、制御部１６ａは、稼動状態又はスタンバイ状態への移行を電源供給制御部３１ａに指示する。電源供給制御部３１ａでは、制御部１６ａから指示された状態に応じた電源を、テレビジョン受信装置１００ａ本体に供給する（ステップＳ１６）。
【００５２】
続いて、制御部１６ａは、上述したステップＳ１４において、制御部１６ａから指示された状態の設定内容に応じて切替部３３をオン又はオフとし、ステップＳ１１に再び戻る。
【００５３】
また、ステップＳ１１において、受光部２７を介し給電コネクタ３２の設定変更及び電源オン／オフ以外の他の処理が指示されたと判定すると（ステップＳ１１；Ｎｏ→ステップＳ１５；Ｎｏ）、制御部１６ａは、当該他の処理を実行し（ステップＳ１７）、ステップＳ１１に再び戻る。
【００５４】
以上のように、本実施形態のテレビジョン受信装置１００ａによれば、テレビジョン受信装置１００ａの状態に応じて、給電コネクタ３２の給電機能を制御することができる。これにより、使用環境に応じて給電コネクタ３２の給電機能を制限することができるため、ユーザの利便性を向上させることができる。また、スタンバイ状態において切替部３３をオンとするよう設定することで、テレビジョン受信装置１００ａがスタンバイ状態であっても携帯機器ＭＥへの電源供給が可能となるため、充電等の用に供する等、ユーザの利便性を向上させることができる。
【００５５】
［第３の実施形態］
第３の実施形態では、信号の授受に係るＤ＋端子ＴＤＰ及びＤ−端子ＴＤＮを有効化した通常のＵＳＢ（ＵＳＢ  Ｔｙｐｅ  Ａ  Ｒｅｃｅｐｔａｃｌｅ）コネクタを、給電コネクタ３２として用いる場合の構成について説明する。なお、上記実施形態と同様の構成については、同一の符号を付し、その説明を援用する。
【００５６】
図７は、第３の実施形態に係るテレビジョン受信装置１００ｂの構成の一例を示す図である。図７に示すように、テレビジョン受信装置１００ｂは、上述した制御部１６及び電源供給制御部３１に代えて、制御部１６ｂ及び電源供給制御部３１ｂを備える点が、図１の構成と異なっている。また、電源部３０と給電コネクタ３２との間に切替部３４を設けた点が、図１の構成と異なっている。
【００５７】
制御部１６ｂは、上述した制御部１６及び制御部１６ａと同様の機能を有する。また制御部１６ｂは、本実施形態に特有の機能として、切替部３４を介して給電コネクタ３２と接続され、当該給電コネクタ３２に接続された携帯機器ＭＥとの間でデータ信号の授受を行う。
【００５８】
電源供給制御部３１ｂは、電源供給制御部３１及び電源供給制御部３１ａと同様の機能を有する。また、電源供給制御部３１ｂは、本実施形態に特有の機能として、テレビジョン受信装置１００ｂの状態切替時において、切替部３４の後述する第２切替部３４ｂをオン／オフ制御することで、給電コネクタ３２のＤ＋端子ＴＤＰ及びＤ−端子ＴＤＮを有効化／無効化する。
【００５９】
切替部３４は、電源供給制御部３１ｂの指示に応じて、電源部３０と給電コネクタ３２とのオン（接続）／オフ（切断）、制御部１６ｂと給電コネクタ３２とのオン（接続）／オフ（切断）とを個別に行う機能部である。
【００６０】
ここで、図８は、テレビジョン受信装置１００ｂの電源供給に係る構成の説明図である。図８に示すように、切替部３４は、第１切替部３４ａと第２切替部３４ｂとを有している。
【００６１】
図８の構成において、電源部３０からの給電用供給線Ｌ１２は、第１切替部３４ａを介して給電コネクタ３２の高電位側電源端子ＴＶＢに接続されている。また、給電コネクタ３２のＤ＋端子ＴＤＰ及びＤ−端子ＴＤＮは、第２切替部３４ｂを介して制御部１６ｂに接続されている。
【００６２】
第１切替部３４ａは、スイッチング素子等であり、電源供給制御部３１ｂの指示に応じて、電源部３０と給電コネクタ３２（高電位側電源端子ＴＶＢ）とをオン（接続）／オフ（切断）する。また、第２切替部３４ｂは、第１切替部３４ａと同様のスイッチング素子等であり、制御部１６と給電コネクタ３２（Ｄ＋端子ＴＤＰ及びＤ−端子ＴＤＮ）とをオン（接続）／オフ（切断）する。なお、第１切替部３４ａ及び第２切替部３４ｂの構成は、特に問わず、図８に示したＰＮＰ型のトランジスタを用いて実現する形態としてもよい。
【００６３】
電源供給制御部３１ｂは、制御部１６ｂから稼働状態への移行が指示されると、第２切替部３４ｂをオンとすることで、給電コネクタ３２のＤ＋端子ＴＤＰ及びＤ−端子ＴＤＮを有効化し、データ信号の授受が可能な通常のＵＳＢコネクタとして給電コネクタ３２を機能させる。また、電源供給制御部３１ｂは、制御部１６ｂからスタンバイ状態への移行が指示されると、第２切替部３４ｂをオフとし、給電コネクタ３２と制御部１６ｂとの間の信号線を無効化する。
【００６４】
このような構成を採用することで、テレビジョン受信装置１００ｂの状態に応じて、給電コネクタ３２の機能、即ち通常のＵＳＢコネクタとして用いるか、給電用のコネクタとして用いるかを使い分けることができる。
【００６５】
次に、図９を参照し、テレビジョン受信装置１００ｂの動作について説明する。以下の説明においては、ユーザは、リモートコントローラ２８により操作を行うものとする。なお、第１切替部３４ａの切替動作については、上述した第２の実施形態の処理フローチャート（図６参照）と同様であるため、説明を省略する。
【００６６】
図９は、テレビジョン受信装置１００ｂの処理フローチャートである。制御部１６ｂは、受光部２７を介しテレビジョン受信装置１００ａの状態を切り替える電源オン又は電源オフを指示する操作が行われるまで待機する（ステップＳ２１；Ｎｏ）。ここで、電源オン又は電源オフを指示する操作がなされたと判定すると（ステップＳ２１；Ｙｅｓ）、その操作内容が電源オン又は電源オフの何れかを判定する（ステップＳ２２）。
【００６７】
ステップＳ２２において、操作内容が電源オンを指示するものであった場合（ステップＳ２２；Ｙｅｓ）、制御部１６ｂは、稼働状態への移行を電源供給制御部３１ｂに指示する。電源供給制御部３１ｂでは、制御部１６ｂから稼働状態への移行が指示されると、第２切替部３４ｂをオンとすることで、給電コネクタ３２を通常のＵＳＢコネクタとして機能させた後（ステップＳ２３）、ステップＳ２１に再び戻る。
【００６８】
一方、ステップＳ２２において、操作内容が電源オフを指示するものであった場合（ステップＳ２２；Ｎｏ）、制御部１６ｂは、スタンバイ状態への移行を電源供給制御部３１ｂに指示する。電源供給制御部３１ｂでは、制御部１６ｂからスタンバイ状態への移行が指示されると、第２切替部３４ｂをオフとすることで、給電コネクタ３２のＤ＋端子ＴＤＰ及びＤ−端子ＴＤＮを無効化した後（ステップＳ２４）、ステップＳ２１に再び戻る。
【００６９】
以上のように、本実施形態のテレビジョン受信装置１００ｂによれば、テレビジョン受信装置１００ｂの状態に応じて、給電コネクタ３２を通常のＵＳＢコネクタとして用いるか、給電用のコネクタとして用いるかを使い分けることができる。これにより、上記実施形態と同様の効果を奏することができるとともに、テレビジョン受信装置１００ｂの電源オフ時に、不要なデータ信号が制御部１６ｂに到達することを防止することができる。
【００７０】
なお、本実施形態では、テレビジョン受信装置１００ｂの電源オフ時に、制御部１６ｂと給電コネクタ３２（Ｄ＋端子ＴＤＰ及びＤ−端子ＴＤＮ）との接続を切断することでＤ＋端子ＴＤＰ及びＤ−端子ＴＤＮを無効化する形態としたが、これに限らず、テレビジョン受信装置１００ｂの電源オフ時に、Ｄ＋端子ＴＤＰ及びＤ−端子ＴＤＮの接続先を図示しないグランド素子に切り替える等することで、当該Ｄ＋端子ＴＤＰ及びＤ−端子ＴＤＮを無効化する形態としてもよい。
【００７１】
［第４の実施形態］
第４の実施形態では、給電コネクタ３２への電源供給をオン／オフすることが可能な他の構成について説明する。なお、上記実施形態と同様の構成については、同一の符号を付し、その説明を援用する。
【００７２】
図１０は、第３の実施形態に係るテレビジョン受信装置１００ｃの構成の一例を示す図である。図１０に示すように、テレビジョン受信装置１００ｃは、電源部３０と給電コネクタ３２との間の供給線（給電用供給線Ｌ１２）上に切替部３５を追加した点が、図１の構成と異なっている。
【００７３】
切替部３５は、スライドスイッチやディップスイッチ等のハードウェアスイッチであり、そのスイッチ設定に応じて、電源部３０と給電コネクタ３２とをオン（接続）／オフ（切断）する。
【００７４】
図１１は、テレビジョン受信装置１００ｃの電源供給に係る構成を説明するための図である。同図では、切替部３５を、１回路２接点スライドスイッチを用いて実現した例を示している。ここで、切替部３５の第１接点３５１は、給電コネクタ３２の高電位側電源端子ＴＶＢに接続されており、第２接点３５２は、給電用供給線Ｌ１２に接続されている。また、切替部３５の第３接点３５３は、無接続となっている。
【００７５】
切替部３５において、第１接点３５１と第２接点３５２とを接続することで（図１１の状態）、切替部３５はオンとなり、給電コネクタ３２に電源が供給される。また、第２接点３５２と、第３接点３５３とを接続することで、切替部３５はオフとなり、給電コネクタ３２への電源供給が停止される。
【００７６】
本実施形態では、上記の構成を採用することで、電源部３０から給電コネクタ３２への電源供給を制御することが可能となる。これにより、使用環境に応じて給電コネクタ３２の給電機能を制限することができるため、ユーザの利便性を向上させることができる。また、切替部３５をオンとすることで、テレビジョン受信装置１００ｃがスタンバイ状態であっても携帯機器ＭＥへの電源供給が可能となるため、充電等の用に供する等、ユーザの利便性を向上させることができる。なお、切替部３５の構成は、図５の例に限らず、他のスイッチング素子や他の構成を用いてもよい。
【００７７】
以上のように、本実施形態のテレビジョン受信装置１００ｃによれば、テレビジョン受信装置１００ｃの状態に応じて、給電コネクタ３２の給電機能を制御することができる。これにより、使用環境に応じて給電コネクタ３２の給電機能を制限することができるため、ユーザの利便性を向上させることができる。また、テレビジョン受信装置１００ｃのスタンバイ状態において切替部３５をオンとするよう設定することで、スタンバイ状態に携帯機器ＭＥへの電源供給が可能となるため、充電等の用に供する等、ユーザの利便性を向上させることができる。
【００７８】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００７９】
例えば、上記実施形態では、電源供給制御部３１、３１ａ、３１ｂを独立した機能部として設けた構成としたが、これに限らず、電源供給制御部３１、３１ａ、３１ｂの機能を制御部１６、１６ａ、１６ｂが有する構成としてもよい。
【符号の説明】
【００８０】
１００、１００ａ、１００ｂ、１００ｃ  テレビジョン受信装置
１６、１６ａ、１６ｂ  制御部
２６  操作部
２７  受光部
２８  リモートコントローラ
３０  電源部
３１、３１ａ、３１ｂ  電源供給制御部
３２  給電コネクタ
３３、３４、３５  切替部
３４ａ  第１切替部
３４ｂ  第２切替部
【図１】
2012256379.tif 000003
【図２】
2012256379.tif 000004
【図３】
2012256379.tif 000005
【図４】
2012256379.tif 000006
【図５】
2012256379.tif 000007
【図６】
2012256379.tif 000008
【図７】
2012256379.tif 000009
【図８】
2012256379.tif 000010
【図９】
2012256379.tif 000011
【図１０】
2012256379.tif 000012
【図１１】
2012256379.tif 000013